(57)【特許請求の範囲】
【請求項１】
外周近傍された複数のネスト及び該各ネストを通り外面に延びるスロットにより形成される撓み可能なビームを有するホルダ板と、該ホルダ板の前記ビームに係合して該ビームを撓ませる力伝達部材とを含み、前記ホルダ板の前記ネストに受容された光ファイバコネクタを保持する光ファイバコネクタ研磨治具において、
前記ホルダ板の前記ネスト及び前記ビームを回転角度的に等間隔に形成し、
前記力伝達部材は内面に等間隔に連続した作用面を有するリング状となし、
前記力伝達部材を一方向に回転して前記光ファイバコネクタの保持係合及び係合解除を行うことを特徴とする光ファイバコネクタ研磨治具。
【請求項２】
前記ホルダ板の前記スロットは、略円周方向と半径方向との非線形に形成されていることを特徴とする請求項１の光ファイバコネクタ研磨治具。
【発明の詳細な説明】
【０００１】
【発明の属する技術分野】
本発明は研磨治具、特に研磨作業中に光ファイバコネクタを保持する研磨治具に関する。
【０００２】
【従来の技術】
国際特許公報第ＷＯ９７／０９１５０号に開示されている既知の研磨装置は、研磨中に光ファシバコネクタを取外し可能に保持するネストを具え、これらネストの少なくとも一部は、撓み可能ビームの撓みにより移動可能であり、これらビームは撓んで狭くなり、ネストに受容された光ファイバコネクタを保持する。研磨治具はネストと一体に構成され且つ撓み可能なビームとも一体に構成されるものとして開示されている。ビームは板状体（プレート）の周囲に沿って形成されている。例えばリング状の力伝達体が板状体の周囲を包囲する。各ビームは、このリングに沿って離間する多くの突起作用面のすくなくとも１つと係合することによって撓む。
【０００３】
このリングは第１方向に回転可能であり、ビームを板状体の周辺に対して内方へ撓めてネストを狭くする。このリングを反対方向に回転するとビームは外方に反発してネストを広げる。板状体のポストはリングを通るスロットに沿って捕らえられ、リングの前方向及び逆方向への回転を制限する。
【０００４】
リングの逆方向への回転はリングに対してビームがジャミングすることが判っている。その理由は、ビームの撓んだ部分が傾斜し、リングに対してバイアス（偏奇）する為であり、その結果回転方向と反対方向を向く。このように傾斜し且つバイアスしたビームに対してリングを逆方向に回転しようとすると、ビームはリングに対してウェッジ（楔止め）され、これらウェッジビームに打ち克って更に反対方向へ回転するにはより大きなトルクを必要とする。これは光ファイバコネクタを研磨治具に保持された状態から解除するのを困難にする。
【０００５】
【課題を解決するための手段】
本発明の光ファイバコネクタ研磨治具は複数のネストとスロットにより撓み可能なビームが形成されたホルダ板と、このホルダ板のビームを撓ませる力伝達部材とを有し、ネストに着脱自在に光ファイバコネクタを保持する光ファイバコネクタ研磨治具である。その特徴とするところは、ホルダ板のネストとビームを回転角度的に等間隔に形成し、連続的な作用面を有するリング状の力伝達部材を一方向のみに回転してネストへの光ファイバコネクタの保持係合及び係合解除を行うものである。スロットは非線形とするのが好ましい。
【０００６】
即ち、本発明の光ファイバコネクタ研磨装置によると、傾斜したビーム点が向かう方向に抗しない方向に力伝達部材を可動として、ビームとの係合を解除することにより、傾斜ビームに対する力伝達部材のジャミングを回避している。
【０００７】
本発明はリングの実施例に適用でき、リングをビームから係合解除し、ビームがリングに対してジャミングしようとするのを阻止する。傾斜ビーム点の撓み部に向う方向と反対しない方向にリングを移動することにより、リングはビームから容易に係合解除でき、光ファイバコネクタを研磨治具のネストによる保持から開放できるようにする。
【０００８】
本発明の一実施例によると、研磨中に光ファイバコネクタを開放可能に保持するネストを有する研磨治具は、少なくともネストの一部が撓み可能なビームの撓みから可動であり、ビームはネストを狭くしてネストに受容されている光ファイバコネクタを保持するようにし、各ビームは力伝達部材に沿って離間した多数の突出作用面と係合して撓み可能である。また、力伝達部材は傾斜ビーム点の撓みが向かう方向と反対しない方向に可動であって、作用面をビームから係合解除してネストを広くすることにより、ビームに対するジャミングを回避する。
【０００９】
本発明の他の特徴によると、力伝達部材は反復するインクレメント移動で各ビームの近くを移動し、各ビームは連続する作用面と係合する。この連続する作用面は磨耗パターンが異なるビームを効果的に交換できる。
【００１０】
本発明の更に他の特徴は、力伝達部材のインジケータマークにより、力伝達部材のインクレメント移動が効果的に指示できることである。
【００１１】
本発明の更に別の実施例では、ビームは板状の周辺に沿って角度的に離間し、作業面はこの周辺を包囲するリングのリムに沿う。
【００１２】
【発明の実施の形態】
以下、本発明の光ファイバコネクタ研磨治具の好適実施形態を添付図を参照して詳細に説明する。
【００１３】
先ず、図１及び図２を参照して説明する。研磨治具２０は、図示しない研磨機に取付られるアーム５６を有するカムリング２６の形状である力伝達部材２６及び光ファイバコネクタを保持するコネクタ保持板２８とを具える。この保持板２８は、カムリング２６の内部リム３２と嵌合する周辺３０と、図示しないセットアップ板のポスト上に受容されるレジストレーション穴１３２を有する。
【００１４】
多重クランプ組立体４１ａは、周辺３０に角度的に離間している、各クランプ組立体４１ａは、スロット４２ａ、ビーム４４ａ、及びネスト４８を有する。スロット４２ａは、周辺３０から対応するネスト４８に延びる非直線スロット４２ａである。ネスト４８ａのスロット４２ａの側部及びビーム４４ａ上の部分は、ビーム４４ａの撓みにより移動する。
【００１５】
ビーム４４ａは、ビームの撓み部の凸部カム面５２と、力伝達部材２６の内部リム３２上の作用面５４とより成るカム組立体５１の移動により撓められる。研磨治具２０の更なる詳細及びその構成及び動作は前述の国際特許公報第ＷＯ９７／０９１５０号を参照されたい。
【００１６】
本発明の一実施例によると、研磨中に光ファイバコネクタを取外し自在に保持するネスト４８を有する研磨治具２０は、ネスト４８の少なくとも一部が撓みにより移動可能である。ビーム４４ａはネスト４８を狭くしてネスト４８に受容されている光ファイバコネクタを保持し、各ビーム４４ａは、そのカム面５２との会合により撓められる。多数の突出作用面５４の少なくとも１つは力伝達部材２６の内部リム３２に沿って離間している。カム伝達部材２６をビーム４４ａの側方で移動すると、各作業面５４は摺動係合して各ビーム４４ａを周辺３０の内方へ撓ませるように駆動する。これによりネスト４８の部分はビーム４４ａの撓みにより移動され、ネスト４８を狭め、各ネスト４８内の光ファイバコネクタを締め付ける。
【００１７】
各ビーム４４ａは、根元７４であるピボットと、この根元７４の周囲を旋回して撓む撓み部とを有する。各ビーム４４ａは片持ち梁状ビームであるので、ビームはピボットでもある根元７４により支持される。ビーム４４ａの片持ち梁状ビームの支持されない部分は、ビーム４４ａの撓み部である。ビーム４４ａが力伝達部材２６の作用面５４との係合により撓むと、ビーム４４ａの撓み部は撓んでビーム４４ａを傾け、ビーム４４ａを力伝達部材２６に対して偏奇させる。傾斜ビーム４４ａの撓み部は周辺３０の外方へ斜めになり力伝達部材２６に向かう。図４の上面図に示す如く、ビーム４４ａは部分的に周辺３０に沿って時計方向を向く。またビーム４４ａが傾斜偏奇する力伝達部材２６に向けて周辺３０の外方に向けて部分的に斜めを向く。
【００１８】
力伝達部材２６は、傾斜したビーム４４ａが、向く方向と反対しない方向に移動するので、傾斜ビーム４４ａとのジャミングが回避される。これにより、作用面５４がビーム４４ａから係合解除されてネスト４８を広げる。ネスト４８が拡がると、光ファイバコネクタはネスト４８から容易に取外し可能である。図４の上面図に示す如く、リング状の力伝達部材２６を時計方向に移動（回転）すると、ある作用面５４はビーム４４ａと係合してこれを撓める。作用面５４と撓んだビーム４４ａとの係合を解除するには、力伝達部材２６を更に動かす必要がある。
【００１９】
リング又は力伝達部材２６を反対方向へ回転するとビーム４４ａとリング２６とがジャミングする慮れがあることが判っている。これは、ビーム４４ａが傾斜して撓み部をリング２６の回転又は移動方向と反対方向に向ける為である。リング２６をこの傾斜したビーム４４ａに抗して無理に反対に回転すると、ビーム４４ａはリング２６に対してウェッジされて、リング２６を反対方向に回転するのにウェッジされたビーム４４ａを克服するためリング２６に加えるトルクが増加する。これは、研磨治具２０のネスト４８に保持されている光ファイバコネクタを解除するのを困難にする。
【００２０】
図１乃至図４に示す本発明の光ファイバコネクタ研磨治具は、リング２６を時計方向に回転させ、傾斜したビーム４４ａの撓み部が作用面５４をビーム４４ａから係合解除して、ネスト４８を広げる方向に抗しない方向にビーム４４ａを移動させることにより、リング状の力伝達部材２６がビーム４４ａとジャミングするのを回避する。
【００２１】
本発明の更なる特徴として、力伝達部材２６は、各ビーム４４ａの側を反復インクレメント移動して、各ビーム４４ａを連続した作用面５４と係合させることがある。この連続作用面５４はビーム４４ａに異なるパターンの磨耗を生じさせるという利点を有する。
【００２２】
本発明の別の特徴として、力伝達部材２６のインジケータマーク５５が力伝達部材２６の移動のインクレメントを効果的に支持することがある。このインジケータマーク５５は、図４に示す如く、各ネスト４８と放射状にアライメントしてネストの最大閉じを指示する。力伝達部材２６のインクレメント移動に続き、インジケータマーク５５は、図１に示すネスト４８からの放射方向への位置オフセットを生じ、ビーム４４ａが作用面５４から係合解除されたことを示す。
【００２３】
また、本発明の更に別の特徴として、力伝達部材２６はベーゼル２７を含んでいる。このベーゼル２７は力伝達部材２６の残りの部分にファスナ２９により固定されている。ホルダ板２８の周辺３０は、ベーゼル２７及び力伝達部材２６の残りの部分により反対側でオーバーラップしている。これにより、ホルダ板２８は水平面にファスナなしで支持され、力伝達部材２６に対して移動や撓みに抗する。更にベーゼル２７及び力伝達部材２６の残りの部分は充分なクリアランスを維持し、ホルダ板２８の相対回転運動を固定する。リム３２の寸法公差は最小であり、ホルダ板２８の力伝達部材２６に対する旋回運動を阻止する。リング状の力伝達部材２６はアルミニウム製でもよいが、ホルダ板２８はポリマ材料又はリング２６と同一材料であってもよい。ポリテトラフルオロエチレン（ポリ四塩化エチレン）等の低摩擦材料のコーティングをビーム４４ａのカム面に付して摩擦と磨耗を低減することが可能である。
【００２４】
以上、本発明の光ファイバコネクタ研磨治具の好適実施形態を詳細に説明したが、本発明は斯る特定実施形態のみに限定せず、種々の変形変更が可能であること勿論である。
【００２５】
【発明の効果】
上述の説明から明らかな如く、本発明の光ファイバコネクタ研磨治具によると、ホルダ板にネストとビームを等間隔に形成し、連続した作用面を有するリング状力伝達部材を一方向（例えば時計方向）に回避するのみで、光ファイバコネクタの保持係合及び係合解除を行うことができる。従って、ジャミングすることなく且つ角の駆動力を必要としないので、作業性が良好である。また、反復使用しても偏った磨耗が少ないので耐久性が優れているという実用上の効果を有する。
【図面の簡単な説明】
【図１】  本発明の光ファイバコネクタ研磨治具の好適実施例の一部切欠いた上面図。
【図２】  図１の光ファイバコネクタ研磨治具の一部切欠いた底面図。
【図３】  図４の光ファイバコネクタ研磨治具の線３−３に沿う断面図。
【図４】  図１の光ファイバコネクタ研磨治具の力伝達部材を回転しビームを撓めた状態を示す上面図。
【符号の説明】
２０      光ファイバコネクタ研磨治具
２６      リング上力伝達部材
２８      ホルダ板
４２ａ    スロット
４４ａ    ビーム
４８      ネスト
５４      作用面
【図１】
0003764264.tif 000002
【図２】
0003764264.tif 000003
【図３】
0003764264.tif 000004
【図４】
0003764264.tif 000005